(57)【要約】      （修正有）【課題】側面からでも表示番号が見える簡単な構造の番号表示機を提供する。【解決手段】番号表示機１０は、呼び出し操作信号に基づいて選択された呼び出し番号を表示する番号表示機１０であって、正面に配置される正面表示部１２と、正面表示部１２の左側で左側方に向かって配置される左側面表示部１３と、正面表示部１２の右側で右側方に向かって配置される右側面表示部とを有する。番号表示機１０によれば、番号表示機１０の正面及び左右からも番号表示を見ることができる。【選択図】図１
0003186952.tif 000002
【実用新案登録請求の範囲】
【請求項１】
呼び出し操作信号に基づいて選択された呼び出し番号を表示する番号表示機であって、
正面に配置される正面表示部と、
該正面表示部の左側で左側方に向かって配置される左側面表示部と、
前記正面表示部の右側で右側方に向かって配置される右側面表示部と、
を有することを特徴とする番号表示機。
【請求項２】
前記正面表示部と前記左側面表示部との間の内角、及び、前記正面表示部と前記右側面表示部との間の内角がそれぞれ１１５°±２０°の範囲であることを特徴とする請求項１に記載の番号表示機。
【請求項３】
呼び出し操作信号に基づいて、前記正面表示部と、前記左側面表示部と、前記右側面表示部に前記呼び出し番号を各々表示させる制御を行う制御部を有することを特徴とする請求項１又は２に記載の番号表示機。
【請求項４】
フロアを受付窓口エリアと待合いエリアに区画するカウンターを有する受付窓口システムであって、
前記カウンターに設置されて呼び出し操作信号に基づいて選択された呼び出し番号を表示する請求項１に記載の番号表示機と、
前記待合いエリアに設置されて固有の呼び出し番号が表示された番号札を発券する発券装置と、
前記受付窓口エリアに設置されて前記番号表示機に対して呼び出し番号を表示させるための呼び出し操作信号を出力する操作装置と、を有することを特徴とする受付窓口システム。
【請求項５】
前記受付窓口は、前記受付窓口エリアの左右方向に所定間隔をおいて複数が設けられており、
前記番号表示機は、前記複数の受付窓口に各々設置されていることを特徴とする請求項４に記載の受付窓口システム。
【考案の詳細な説明】
【技術分野】
【０００１】
本考案は、番号表示機に関し、例えば窓口にて呼び出し番号を表示する番号表示機に関する。
【背景技術】
【０００２】
例えば区役所や病院などの受付窓口には、呼び出し番号を表示する番号表示機が設置されている。この番号表示機は、順番を待っている人に対して、現在処理している人の呼び出し番号を知らせるものである。
【０００３】
特許文献１には、表示部が高速回転する表示機の技術が示されている。
【先行技術文献】
【特許文献】
【０００４】
【特許文献１】実用新案登録３０８８２２９号公報
【考案の概要】
【考案が解決しようとする課題】
【０００５】
従来の番号表示機の表示方式は、図７の様に1面で表示しているため、正面からしか見えず、正面の待ち人には見えるが、側面の待ち人には見えないという問題があった。特に、複数の窓口で手続きが必要な人は、同時に複数の表示番号を見る必要があるが、正面からしか見えない表示機では、同時に複数の窓口の表示番号を見ることができないという問題があった。また、一つの窓口しか用事の無い人でも、表示機の正面以外で待たないと番号が見えないという問題があった。
【０００６】
また、特許文献１の技術は、回転式のため、例えば（１）駆動機構の耐久性や故障の可能性、（２）回転駆動に伴う振動や音等による設置環境への影響、（３）部品点数の増加によるコスト高、等の問題がある。
【０００７】
本考案は、このような課題に鑑みてなされたものであり、側面からでも表示番号が見える簡単な構造の番号表示機を提供することを目的とする。
【課題を解決するための手段】
【０００８】
上記課題を解決する本考案の番号表示機は、呼び出し操作信号に基づいて選択された呼び出し番号を表示する番号表示機であって、正面に配置される正面表示部と、正面表示部の左側で左側方に向かって配置される左側面表示部と、正面表示部の右側で右側方に向かって配置される右側面表示部とを有することを特徴としている。
【０００９】
そして、正面表示部と左側面表示部との間の内角、及び、正面表示部と右側面表示部との間の内角がそれぞれ１１５°±２０°の範囲であることが好ましい。
【００１０】
呼び出し操作信号に基づいて、正面表示部と、左側面表示部と、右側面表示部に呼び出し番号を各々表示させる制御を行う制御部を有することが好ましい。
【００１１】
本考案の受付窓口システムは、フロアを受付窓口エリアと待合いエリアに区画するカウンターを有する受付窓口システムであって、カウンターに設置されて呼び出し操作信号に基づいて選択された呼び出し番号を表示する上記の番号表示機と、待合いエリアに設置されて固有の呼び出し番号が表示された番号札を発券する発券装置と、受付窓口エリアに設置されて番号表示機に対して呼び出し番号を表示させるための呼び出し操作信号を出力する操作装置とを有することを特徴としている。
【００１２】
そして、受付窓口は、待合いエリアの左右方向に所定間隔をおいて複数が設けられており、番号表示機は、複数の受付窓口に各々設置されていることが好ましい。
【考案の効果】
【００１３】
本考案の番号表示機によれば、正面表示部と、左側面表示部と、右側面表示部という３つの表示部を有するので、番号表示機に対して正面に位置する人と、左側に位置する人と、右側に位置する人の全てに対して呼び出し番号を表示することができる。
【００１４】
また、本考案の受付窓口システムによれば、例えば横長の待合いエリアを有する受付窓口に番号表示機を設置した場合に、番号表示を確認するために、番号表示機の正面以外の位置で待つことができ、待合いエリアを有効に活用することができる。
【００１５】
また、本考案の受付窓口システムによれば、複数の受付窓口が受付窓口エリアの左右方向に所定間隔をおいて設けられている場合に、例えば自分の正面に設置されている番号表示機の番号表示に加えて、その左右に設置されている他の番号表示機の番号表示も見るなど、複数の番号表示機でそれぞれ表示される番号表示を、その場で一度に見ることができる。したがって、複数の呼び出し窓口で手続きが必要な人は、各受付窓口の呼び出し番号を、場所を移動することなく、簡単に見ることができる。また、一つの窓口しか用事の無い人でも、その窓口の呼び出し番号を左右から見ることができるので、番号表示機の正面以外の位置で待つことができ、待合いエリアを有効活用することができる。
【図面の簡単な説明】
【００１６】
【図１】番号表示機の斜視図。
【図２】番号表示機の正面図。
【図３】番号表示機の平面図。
【図４】番号表示機の機能ブロック図。
【図５】受付窓口システムの概念図。
【図６】正面表示部と左右の表示部との内角の設定方法を説明する図。
【図７】従来技術を説明する図。
【考案を実施するための形態】
【００１７】
次に、本考案の実施の形態について図面を用いて説明する。
【００１８】
図１は、番号表示機の斜視図、図２は、番号表示機の正面図、図３は、番号表示機の平面図である。
【００１９】
番号表示機１０は、例えば区役所や病院などの受付窓口に設置され、待合いエリアで順番を待っている人に対して、現在処理している人の呼び出し番号を知らせるのに用いられる。番号表示機１０は、呼び出し操作信号に基づいて選択された呼び出し番号を表示する表示部として、正面に配置される正面表示部１２と、正面表示部１２の左側で左側方に向かって配置される左側面表示部１３と、正面表示部の右側で右側方に向かって配置される右側面表示部１４を有している。
【００２０】
番号表示機１０は、例えば受付窓口カウンタ４３の上に取り付けられた支柱１５に固定される箱状の筐体１１を有しており、筐体１１の正面に正面表示部１２が設けられ、筐体１１の左側面に左側面表示部１３が設けられ、筐体１１の右側面に右側面表示部１４が設けられている。
【００２１】
番号表示機１０は、図３に示すように、正面表示部１２と左側面表示部１３との間の内角θ１、及び、正面表示部１２と右側面表示部１４との間の内角θ２がそれぞれ１１５°±２０°の範囲に設定されている。各表示部１２〜１４は、例えば複数のＬＥＤが並べられたＬＥＤ表示板や７セグメントの液晶表示板などの既知の電光表示板によって構成されており、本実施の形態では、０００〜９９９までの３桁の番号をそれぞれ表示可能な構成を有している。
【００２２】
図４は、制御部の機能ブロック図である。
【００２３】
番号表示機１０は、正面表示部１２と、左側面表示部１３と、右側面表示部１４に対して呼び出し番号を表示させる制御を行う制御部２０を有している。制御部２０は、例えば筐体１１の中に収容されている。
【００２４】
制御部２０は、マイクロコンピュータ等の電子回路によって構成されている。制御部２０の入力側には、番号表示機１０と共に受付窓口システム４０を構成する発券装置３１と操作装置３２が接続されている。発券装置３１は、呼び出し番号の情報を制御部２０に出力し、操作装置３２は、呼び出し操作信号を制御部２０に出力する。制御部２０の出力側には、各表示部１２〜１４とスピーカ３３が接続されている。
【００２５】
制御部２０は、発券装置３１から出力された呼び出し番号を記憶する記憶手段２１と、記憶手段２１に記憶されている呼び出し番号の中から操作装置３２の呼び出し操作信号に基づいて、対応する呼び出し番号を選択する選択手段２２と、該選択手段２２により選択された呼び出し番号の情報を、各表示部１２〜１４とスピーカ３３に出力する出力手段２３とを有する。
【００２６】
各表示部１２〜１４では、制御部２０の出力手段２３から出力された呼び出し番号の情報に基づいて、呼び出し番号を表示する。各表示部１２〜１４には、互いに同じ番号が表示される。スピーカ３３からは、呼び出し番号を読み上げる音声が流される。スピーカ３３からは、音声の代わりに、新たな呼び出し番号を表示したことを示すチャイム音を鳴らすようにしてもよい。なお、各表示部１２〜１３で呼び出し番号を表示する方法及びスピーカ３３で音声等を流す方法については、公知の技術を用いることができるので、その詳細な説明は省略する。
【００２７】
図５は、受付窓口システムの概念図、図６は、正面表示部と左右の表示部との内角の設定方法を説明する図である。
【００２８】
受付窓口システム４０は、フロアを受付窓口エリア４０Ａと待合いエリア４０Ｂに区画するカウンター４３と、カウンター４３に設置されて呼び出し操作信号に基づいて選択された呼び出し番号を表示する番号表示機１０と、待合いエリア４０Ｂに設置されて固有の呼び出し番号が表示された番号札を発券する発券装置３１と、受付窓口エリア４０Ａに設置されて番号表示機１０に対して呼び出し番号を表示させるための呼び出し操作信号を出力する操作装置３２を有している。
【００２９】
受付窓口エリア４０Ａには、カウンター４３に沿って左右方向に所定間隔をおいて複数の受付窓口４１（−１〜−ｎ）が設けられており、これら複数の受付窓口４１（−１〜−ｎ）に個々に番号表示機１０（−１〜−ｎ）が設置されている。各受付窓口４１（−１〜−ｎ）には、待ち人Ｍを呼び出す際に担当者Ｔ（−１〜−ｎ）によって操作される操作装置３２（−１〜−ｎ）がそれぞれ配置されている。各操作装置３２（−１〜−ｎ）は、呼び出し操作信号を制御部２０に出力する。
【００３０】
待合いエリア４０Ｂは、受付窓口４１の正面から左右の少なくとも一方に広がる大きさを有している。待合いエリア４０Ｂには、例えば受付窓口４１の近傍位置に発券装置３１（−１〜−ｎ）が設置されている。発券装置３１は、待合いエリア４０Ｂで受付を待つ人によって操作され、固有の呼び出し番号が表示された番号札を発券し、呼び出し番号の情報を制御部２０に出力する。発券装置３１は、受付窓口４１毎に配置されていてもよく、また、一箇所にまとめて配置されていてもよい。
【００３１】
番号表示機１０は、各表示部１２〜１４が待合いエリア４０Ｂ側に向かって配置される。正面表示部１２と左側面表示部１３との間の内角θ１、及び、正面表示部１２と右側面表示部１４との間の内角θ２は、それぞれ１１５°±２０°の範囲であることが好ましく、待合いエリア４０Ｂの大きさ、すなわち、カウンター４３の長さＬと待合いエリア４０Ｂの通路幅Ｗとの関係によって設定することができる。
【００３２】
例えば図６に示すように、カウンター４３の長さＬが１０ｍで通路幅Ｗが４ｍの場合、待合いエリア４２の最も左側でカウンター４３から最も離れた位置の待ち人Ｍが、受付窓口エリア４０Ａの最も右側に配置された番号表示機１０の左側面表示部１３を垂直方向から見るためには、正面表示部１２と左側面表示部１３との間の内角θ１が１１１°に設定されることが好ましい。本実施の形態では、内角θ１とθ２は同じに設定されているが、互いに相異する値に設定してもよい。
【００３３】
本考案の番号表示機１０によれば、正面表示部１２と、左側面表示部１３と、右側面表示部１４という３つの表示部を有するので、番号表示機１０に対して正面に位置する待ち人Ｍと、左側に位置する待ち人Ｍと、右側に位置する待ち人Ｍの全てに対して呼び出し番号を表示することができる。
【００３４】
そして、本考案の受付窓口システム４０によれば、例えば横長の待合いエリア４０Ｂを有する受付窓口４１に番号表示機１０を設置した場合に、待ち人Ｍは、番号表示機１０の正面以外の左右に離れた位置で番号表示を確認することができる。したがって、待ち人Ｍの利便性を向上させ、待合いエリア４０Ｂを有効に活用することができる。
【００３５】
また、本考案の受付窓口システム４０によれば、複数の受付窓口４１が受付窓口エリア４０Ａの左右方向に所定間隔をおいて設けられており、各受付窓口４１に番号表示機１０がそれぞれ設置されているので、例えば自分の正面に設置されている番号表示機１０の番号表示に加えて、その左右に設置されている他の番号表示機１０の番号表示も見るなど、複数の番号表示機１０（−１〜−Ｎ）でそれぞれ表示される番号表示を、その場で一度に見ることができる。したがって、複数の受付窓口４１で手続きが必要な人は、各受付窓口４１の呼び出し番号を、場所を移動することなく、簡単に見ることができる。また、一つの受付窓口４１しか用事の無い人でも、その受付窓口４１の呼び出し番号を左右から見ることができるので、番号表示機１０の正面以外の位置で待つことができ、待合いエリア４０Ｂを有効活用することができる。
【００３６】
なお、本考案は、上記した実施の形態の内容に限定されるものではなく、本考案の主旨を逸脱しない範囲で種々の変更が可能である。例えば、上記した実施の形態では、カウンター４３に複数の受付窓口４１が設けられている場合について説明したが、受付窓口４１が一つであってもよい。
【符号の説明】
【００３７】
１０  番号表示機
１２  正面表示部
１３  左側面表示部
１４  右側面表示部
２０  制御部
３１  発券装置
３２  操作装置
４０  受付窓口システム
４０Ａ  受付窓口エリア
４０Ｂ  待合いエリア
４１  受付窓口
【図１】
0003186952.tif 000003
【図２】
0003186952.tif 000004
【図３】
0003186952.tif 000005
【図４】
0003186952.tif 000006
【図５】
0003186952.tif 000007
【図６】
0003186952.tif 000008
【図７】
0003186952.tif 000009